(57)【特許請求の範囲】
【請求項１】
無線通信の方法であって、
アップリンク多入力多出力（ＭＩＭＯ）送信のための電力調整モードのインジケーションを受信することと、前記インジケーションは、前記電力調整を実装するための少なくとも１つのアップリンクチャネル処理ステージをさらに示し、前記少なくとも１つのアップリンクチャネル処理ステージは、プレコーディングの後の第１ステージ、レイヤマッピングの後および前記プレコーディングの前の第２ステージ、前記レイヤマッピングの前の第３ステージ、またはこれらの組み合わせの１つまたは複数を含み、前記第１ステージは、合成ＭＩＭＯ送信のための単一の電力スケーリングを提供し、前記第２ステージは、レイヤベースでの電力スケーリングを提供し、前記第３ステージは、コードワードベースでの電力スケーリングを提供する、
前記少なくとも１つの示されたアップリンクチャネル処理ステージにおいて、前記電力調整モードにしたがって、前記アップリンクＭＩＭＯ送信の電力を調整することと、
を備える方法。
【請求項２】
前記電力を調整することは、前記アップリンクＭＩＭＯ送信の情報ビットの数、前記アップリンクＭＩＭＯ送信の符号化レート、前記アップリンクＭＩＭＯ送信によって使用されるリソースの数、またはそれらの組み合わせの１つまたは複数に少なくとも部分的に基づく、請求項１に記載の方法。
【請求項３】
前記リソースの数は、リソースエレメントのユニットを備え、前記アップリンクＭＩＭＯ送信のコードワードの初期割り当てに関して決定される、請求項２に記載の方法。
【請求項４】
前記リソースの数は、アップリンク制御情報によって使用されるリソースを含み、同じアップリンクＭＩＭＯ送信上でアップリンクデータと多重化される、請求項３に記載の方法。
【請求項５】
前記アップリンクＭＩＭＯ送信は、２つのコードワードを備える、請求項１に記載の方法。
【請求項６】
前記２つのコードワードの少なくとも１つのコードワードは、少なくとも２つのレイヤにマッピングされる、請求項５に記載の方法。
【請求項７】
前記電力調整モードは、合成ＭＩＭＯ送信のための電力スケーリングを備える、請求項１に記載の方法。
【請求項８】
前記電力調整モードは、前記アップリンクＭＩＭＯ送信のコードワードの各レイヤのための電力スケーリングを備える、請求項１に記載の方法。
【請求項９】
前記電力調整モードは、各コードワードのための電力スケーリングを備える、請求項１に記載の方法。
【請求項１０】
前記電力調整モードはさらに、各レイヤのための各コードワード内の電力スケーリングを備える、請求項９に記載の方法。
【請求項１１】
前記電力調整モードは、レイヤ間干渉、コードワード干渉、またはそれらの組み合わせのうちの少なくとも１つを説明するためにオフセットパラメータによって前記電力を調整することを備える、請求項１に記載の方法。
【請求項１２】
前記電力調整モードはさらに、前記アップリンクＭＩＭＯ送信がいずれのアップリンクデータもなしにチャネル状態情報フィードバックのみを含むとき、構成されたオフセットパラメータに部分的に基づく、請求項１に記載の方法。
【請求項１３】
無線通信のための装置であって、
アップリンク多入力多出力（ＭＩＭＯ）送信のための電力調整モードのインジケーションを受信するための手段と、前記インジケーションは、前記電力調整を実装するための少なくとも１つのアップリンクチャネル処理ステージをさらに示し、前記少なくとも１つのアップリンクチャネル処理ステージは、プレコーディングの後の第１ステージ、レイヤマッピングの後および前記プレコーディングの前の第２ステージ、前記レイヤマッピングの前の第３ステージ、またはこれらの組み合わせの１つまたは複数を含み、前記第１ステージは、合成ＭＩＭＯ送信のための単一の電力スケーリングを提供し、前記第２ステージは、レイヤベースでの電力スケーリングを提供し、前記第３ステージは、コードワードベースでの電力スケーリングを提供する、
前記少なくとも１つの示されたアップリンクチャネル処理ステージにおいて、前記電力調整モードにしたがって、前記アップリンクＭＩＭＯ送信の電力を調整するための手段と、
を備える装置。
【請求項１４】
無線ネットワークにおける無線通信のためのコンピュータプログラムプロダクトであって、
記録されたプログラムコードを有する非一時的コンピュータ可読媒体を備え、前記プログラムコードは、
アップリンク多入力多出力（ＭＩＭＯ）送信のための電力調整モードのインジケーションを受信するためのプログラムコードと、前記インジケーションは、前記電力調整を実装するための少なくとも１つのアップリンクチャネル処理ステージをさらに示し、前記少なくとも１つのアップリンクチャネル処理ステージは、プレコーディングの後の第１ステージ、レイヤマッピングの後および前記プレコーディングの前の第２ステージ、前記レイヤマッピングの前の第３ステージ、またはこれらの組み合わせの１つまたは複数を含み、前記第１ステージは、合成ＭＩＭＯ送信のための単一の電力スケーリングを提供し、前記第２ステージは、レイヤベースでの電力スケーリングを提供し、前記第３ステージは、コードワードベースでの電力スケーリングを提供する、
前記少なくとも１つの示されたアップリンクチャネル処理ステージにおいて、前記電力調整モードにしたがって、前記アップリンクＭＩＭＯ送信の電力を調整するためのプログラムコードと、
を備えるコンピュータプログラムプロダクト。
【請求項１５】
無線通信のための装置であって、
メモリと、
前記メモリに結合された少なくとも１つのプロセッサと、
を備え、前記少なくとも１つのプロセッサは、
アップリンク多入力多出力（ＭＩＭＯ）送信のための電力調整モードのインジケーションを受信するように、前記インジケーションは、前記電力調整を実装するための少なくとも１つのアップリンクチャネル処理ステージをさらに示し、前記少なくとも１つのアップリンクチャネル処理ステージは、プレコーディングの後の第１ステージ、レイヤマッピングの後および前記プレコーディングの前の第２ステージ、前記レイヤマッピングの前の第３ステージ、またはこれらの組み合わせの１つまたは複数を含み、前記第１ステージは、合成ＭＩＭＯ送信のための単一の電力スケーリングを提供し、前記第２ステージは、レイヤベースでの電力スケーリングを提供し、前記第３ステージは、コードワードベースでの電力スケーリングを提供する、
前記少なくとも１つの示されたアップリンクチャネル処理ステージにおいて、前記電力調整モードにしたがって、前記アップリンクＭＩＭＯ送信の電力を調整するように構成される、装置。
【請求項１６】
前記プロセッサは、前記アップリンクＭＩＭＯ送信の情報ビットの数、前記アップリンクＭＩＭＯ送信の符号化レート、前記アップリンクＭＩＭＯ送信によって使用されるリソースの数、またはそれらの組み合わせの１つまたは複数に少なくとも部分的に基づいて前記電力を調整するように構成される、請求項１５に記載の装置。
【請求項１７】
前記リソースの数は、リソースエレメントのユニットを備え、前記アップリンクＭＩＭＯ送信のコードワードの初期割り当てに関して決定される、請求項１６に記載の装置。
【請求項１８】
前記リソースの数は、アップリンク制御情報によって使用されるリソースを含み、同じアップリンクＭＩＭＯ送信上でアップリンクデータと多重化される、請求項１７に記載の装置。
【請求項１９】
前記アップリンクＭＩＭＯ送信は、２つのコードワードを備える、請求項１５に記載の装置。
【請求項２０】
前記２つのコードワードの少なくとも１つのコードワードは、少なくとも２つのレイヤにマッピングされる、請求項１９に記載の装置。
【請求項２１】
前記電力調整モードは、合成ＭＩＭＯ送信のための電力スケーリングを備える、請求項１５に記載の装置。
【請求項２２】
前記電力調整モードは、前記アップリンクＭＩＭＯ送信のコードワードの各レイヤのための電力スケーリングを備える、請求項１５に記載の装置。
【請求項２３】
前記電力調整モードは、各コードワードのための電力スケーリングを備える、請求項１５に記載の装置。
【請求項２４】
前記電力調整モードはさらに、各レイヤのための各コードワード内の電力スケーリングを備える、請求項２３に記載の装置。
【請求項２５】
前記電力調整モードは、レイヤ間干渉、コードワード干渉、またはそれらの組み合わせのうちの少なくとも１つを説明するためにオフセットパラメータによって前記電力を調整することを備える、請求項１５に記載の装置。
【請求項２６】
前記電力調整モードはさらに、前記アップリンクＭＩＭＯ送信がいずれのアップリンクデータもなしにチャネル状態情報フィードバックのみを含むとき、構成されたオフセットパラメータに部分的に基づく、請求項２５に記載の装置。
【発明の詳細な説明】
【関連出願への相互参照】
【０００１】
本願は、２０１０年５月７日に出願され、「MODULATION AND CODING SCHEME ADJUSTMENT FOR UPLINK CHANNEL POWER CONTROL IN ADVANCED TELECOMMUNICATION NETWORKS」と題された米国仮特許出願第６１／３３２，６５６号の優先権を米国特許法第１１９条（ｅ）の下主張し、その開示は、その全体においてここにおける参照により明示的に組み込まれる。
【技術分野】
【０００２】
下記の説明は、一般的には無線ネットワーク通信に関し、より具体的には、アドバンスドテレコミュニケーションネットワークにおけるアップリンクチャネル電力制御のための変調および符号化スキーム（ＭＣＳ）調整に関する。
【背景技術】
【０００３】
無線通信ネットワークは、音声、ビデオ、パケットデータ、メッセージング、ブロードキャスト等のような様々な通信サービスを提供するように幅広く展開されている。これらの無線ネットワークは、利用可能なネットワークリソースを共有することによって複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークを含む。
【０００４】
無線通信ネットワークは、多数のユーザ機器（ＵＥ）のための通信をサポートすることができる多数の基地局を含めうる。ＵＥは、ダウンリンクとアップリンクを介して基地局と通信しうる。ダウンリンク（または順方向リンク）は、基地局からＵＥまでの通信リンクを指し、アップリンク（または逆方向リンク）は、ＵＥから基地局までの通信リンクを指す。
【０００５】
基地局は、ＵＥにダウンリンクでデータおよび制御情報を送信しうる、および／または、ＵＥからアップリンクでデータおよび制御情報を受信しうる。ダウンリンクで、基地局からの送信は、近隣基地局からの、または、他の無線ラジオ周波数（ＲＦ）送信機からの、送信に起因する干渉に遭遇することがある。アップリンクで、ＵＥからの送信は、近隣基地局と通信する他のＵＥのアップリンク送信からの、または、他の無線ＲＦ送信機からの、干渉に遭遇することがある。この干渉は、ダウンリンクとアップリンクの両方の性能を低下させることがある。
【０００６】
モバイルブロードバンドアクセスに対する需要が増加し続けるにつれ、干渉および輻輳ネットワークの可能性は、長距離無線通信ネットワークにアクセスするより多くのＵＥとコミュニティで展開されているより多くの短距離無線システムを伴って増大する。
【発明の概要】
【０００７】
一態様では、無線通信の方法が開示される。方法は、アップリンク多入力多出力（ＭＩＭＯ）送信のための電力調整モードのインジケーションを受信することを含む。アップリンクＭＩＭＯ送信の電力は、受信された電力調整モードにしたがって調整される。
【０００８】
別の態様は、アップリンク多入力多出力（ＭＩＭＯ）送信のための電力調整モードのインジケーションを受信するための手段を含む装置を開示する。受信された電力調整モードにしたがって、アップリンクＭＩＭＯ送信の電力を調整するための手段も含まれている。
【０００９】
別の態様では、無線ネットワークにおける無線通信のためのコンピュータプログラムプロダクトが開示されている。コンピュータ可読媒体は、１つまたは複数のプロセッサによって実行されるときに、プロセッサ（１つまたは複数）に、アップリンク多入力多出力（ＭＩＭＯ）送信のための電力調整モードのインジケーションを受信させる、記録されたプログラムコードを有する。プログラムコードはまた、プロセッサ（１つまたは複数を含む）に、受信された電力調整モードにしたがって、アップリンクＭＩＭＯ送信の電力を調整させる。
【００１０】
別の態様は、メモリと、メモリに結合された少なくとも１つのプロセッサを有する無線通信装置を開示する。プロセッサ（１つまたは複数を含む）は、アップリンク多入力多出力（ＭＩＭＯ）送信のための電力調整モードのインジケーションを受信するように構成される。プロセッサはまた、受信された電力調整モードにしたがって、アップリンクＭＩＭＯ送信の電力を調整するように構成される。
【００１１】
これは、次の詳細な説明がよりよく理解されるように、本開示の特徴および技術的利益について広範というよりは概要を述べている。本開示のさらなる特徴および利点は、後述される。本開示は、本開示の同じ目的を実行するために他の構造を変更または設計するための基本として容易に利用されうるということが当業者によって理解されるべきである。また、このような同等な構造が特許請求の範囲に記載されているような開示の教示から逸脱しないように当業者によって実現されるべきである。本開示の特徴であるとされる新規特徴は（オペレーションの構造および方法の両方に関する）、さらなる目的および利点と共に、添付の図面と関連して考慮するとき、下記の説明からよりよく理解されるであろう。しかしながら、図面の各々は、例示および説明のためだけに提供されており、本開示の限定の定義として意図されていないということは明示的に理解されるべきである。
【００１２】
本開示の特徴、性質および利益は、同様な参照数字が全体にわたって対応して識別する、図面と併せると、下記に記載される詳細な説明からより明らかとなるであろう。
【図面の簡単な説明】
【００１３】
【図１】図１は、テレコミュニケーションシステムの例を概念的に図示するブロック図である。
【図２】図２は、テレコミュニケーションシステムにおけるダウンリンクフレーム構造の例を概念的に図示する図である。
【図３】図３は、アップリンク通信における例示的なフレーム構造を概念的に図示するブロック図である。
【図４】図４は、本開示の一態様にしたがって構成されるＵＥと基地局／ｅＮｏｄｅＢの設計を概念的に図示するブロック図である。
【図５】図５は、本開示の一態様によるアップリンク物理チャネル処理を図示する図である。
【図６】図６は、アドバンスドテレコミュニケーションネットワークにおけるアップリンクチャネル電力制御のための変調および符号化スキーム（ＭＣＳ）調整のための方法を図示するブロック図である。
【発明を実施するための形態】
【００１４】
下記で記載される詳細な説明は、添付図面に関連して、様々な構成の説明として意図されており、ここにおいて説明される概念が実践されうる唯一の構成を表すように意図されていない。詳細な説明は、様々な概念の完全な理解を提供する目的で、具体的な詳細を含む。しかしながら、これらの概念がこれらの具体的な詳細なしで実行されうるということは、当業者にとっては明らかであろう。いくつかの例では、既知の構造およびコンポーネントは、このような概念を不明瞭にしないようにブロック図で示される。
【００１５】
ここで説明された技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク等のような様々な無線通信ネットワークのために使用されうる。用語「ネットワーク」および「システム」は、しばしば互換性をもって使用される。ＣＤＭＡネットワークは、ユニバーサル地上ラジオアクセス（ＵＴＲＡ）、ＣＤＭＡ２００等のようなラジオ技術を実装しうる。ＵＴＲＡは、広域ＣＤＭＡ（Ｗ−ＣＤＭＡ（登録商標））を含み、ローチップレート（ＬＣＲ）を含む。ＣＤＭＡ２０００は、ＩＳ−２０００、ＩＳ−９５およびＩＳ−８５６規格をカバーする。ＴＤＭＡネットワークは、モバイル通信のためのグローバルシステム（ＧＳＭ（登録商標））のようなラジオ技術を実装しうる。ＯＦＤＭＡネットワークは、発展型ＵＴＲＡ（Ｅ−ＵＴＲＡ）、ＩＥＥＥ８０２．１１、ＩＥＥＥ８０２．１６、ＩＥＥＥ８０２．２０、フラッシュＯＦＤＭ等のようなラジオ技術を実装しうる。ＵＴＲＡ、Ｅ−ＵＴＲＡ、およびＧＳＭは、ユニバーサルモバイルテレコミュニケーションシステム（ＵＭＴＳ）の一部である。ロングタームエボリューション（ＬＴＥ）は、Ｅ−ＵＴＲＡを使用するＵＭＴＳのアップカミングリリースである。ＵＴＲＡ、Ｅ−ＵＴＲＡ、ＧＳＭ、ＵＭＴＳ、およびＬＴＥは、「第３世代パートナーシッププロジェクト」（３ＧＰＰ）と名づけられた団体の文書の中で説明されている。ＣＤＭＡ２０００は、「第３世代パートナーシッププロジェクト２」（３ＧＰＰ２）と名づけられた団体の文書の中で説明されている。これらの様々なラジオ技術および規格は当技術分野で知られている。明瞭にするため、本技法のある態様は下記でＬＴＥについて説明しており、ＬＴＥ用語は、下記の説明の多くにおいて使用されている。
【００１６】
ここにおいて記載された技法は、ＣＤＭＡ、ＴＤＭＡ、ＦＤＭＡ、ＯＦＤＭＡ、ＳＣ−ＦＤＭＡのような様々な無線通信ネットワーク、および他のネットワークに使用されうる。用語「ネットワーク」および「システム」は、しばしば互換性をもって使用される。ＣＤＭＡネットワークは、ユニバーサル地上ラジオアクセス（ＵＴＲＡ）、米国電気通信工業会（ＴＩＡ）のＣＤＭＡ２０００および同様なもの、のようなラジオ技術を実装しうる。ＵＴＲＡ技術は、広域ＣＤＭＡ（ＷＣＤＭＡ（登録商標））およびＣＤＭＡの他の変形を含む。ＣＤＭＡ２０００技術は、米国電子工業会（ＥＩＡ）およびＴＩＡのＩＳ−２０００、ＩＳ−９５およびＩＳ−８５６規格を含む。ＴＤＭＡネットワークは、モバイル通信のためのグローバルシステム（ＧＳＭ）のようなラジオ技術を実装しうる。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭおよび同様なもののようなラジオ技術を実装しうる。ＵＴＲＡおよびＥ−ＵＴＲＡ技術は、ユニバーサルモバイルテレコミュニケーションシステム（ＵＭＴＳ）の一部である。３ＧＰＰロングタームエボリューション（ＬＴＥ）およびＬＴＥアドバンスド（ＬＴＥ−Ａ）は、Ｅ−ＵＴＲＡを使用するＵＭＴＳの新規リリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と呼ばれる団体の文書の中で説明されている。ＣＤＭＡ２０００およびＵＭＢは、「第３世代パートナーシッププロジェクト２」（３ＧＰＰ２）と呼ばれる団体の文書の中で説明されている。ここで説明される技法は、上述されているワイヤレスネットワーク及び無線接続技術と、他のワイヤレスネットワークおよび無線接続技術に使用されうる。明瞭のため、技法のある態様は、ＬＴＥまたはＬＴＥ−Ａ（あるいは、一緒に「ＬＴＥ／−Ａ」と呼ばれる）について後述されおり、下記の説明の多くにおいて、このようなＬＴＥ／−Ａ用語を使用する。
【００１７】
図１では、アドバンスドテレコミュニケーションネットワークにおいてアップリンクチャネル電力制御のための変調および符号化スキーム調整が実装されうる、ＬＴＥ−Ａネットワークでありうる無線通信ネットワーク１００を図示する。無線ネットワーク１００は、多数の発展型ノードＢ（ｅＮｏｄｅＢ）１１０および他のネットワークエンティティを含む。ｅＮｏｄｅＢはＵＥと通信する局でありうる、また、基地局、ノードＢ、アクセスポイントおよび同様なものとも呼ばれうる。各ｅＮｏｄｅＢ１１０は、特定の地理領域のための通信カバレッジを提供しうる。３ＧＰＰでは、用語「セル」は、用語が使用される文脈によって、ｅＮｏｄｅＢのこの特定地理カバレッジエリアおよび／またはカバレッジエリアにサービス提供するｅＮｏｄｅＢサブシステムを指すことができる。
【００１８】
ｅＮｏｄｅＢは、マクロセル、ピコセル、フェムトセル、および／または他のタイプのセルについての通信カバレッジを提供しうる。マクロセルは、一般的に相対的に大きい地理領域（例えば半径数キロメートル）をカバーし、ネットワークプロバイダを伴うサービス加入により、ＵＥによる制約されないアクセスを可能にしうる。ピコセルは、一般的に相対的に小さい地理領域をカバーし、ネットワークプロバイダを伴うサービス加入により、ＵＥによる制約されないアクセスを可能にしうる。フェムトセルもまた、一般的に相対的に小さい地理領域（例えば家庭）をカバーし、制約されないアクセスに加えて、フェムトセルとの関連づけを有するＵＥ（例えば、クローズド加入者グループ（ＣＳＧ）におけるＵＥ、家庭のユーザのためのＵＥ、および同様なもの）による制約されたアクセスを提供しうる。マクロセルのためのｅＮｏｄｅＢは、マクロｅＮｏｄｅＢと呼ばれうる。ピコセルのためのｅＮｏｄｅＢは、ピコｅＮｏｄｅＢと呼ばれうる。また、フェムトセルのためのｅＮｏｄｅＢは、フェムトｅＮｏｄｅＢまたはホームｅＮｏｄｅＢと呼ばれうる。図１で図示される例では、ｅＮｏｄｅＢ１１０ａ、１１０ｂおよび１１０ｃは、それぞれ、マクロセル１０２ａ、１０２ｂおよび１０２ｃのためのマクロｅＮｏｄｅＢである。ｅＮｏｄｅＢ１１０ｘは、ピコセル１０２ｘのためのピコｅＮｏｄｅＢである。また、ｅＮｏｄｅ１１０ｙおよび１１０ｚは、それぞれ、フェムトセル１０２ｙおよび１０２ｚのためのフェムトｅＮｏｄｅである。ｅＮｏｄｅＢは、１つまたは複数（例えば、２、３、４および同様なもの）のセルをサポートしうる。
【００１９】
無線ネットワーク１００はまた、リレー局を含めうる。リレー局は、データの送信および／または他の情報をアップストリーム局（例えば、ｅＮｏｄｅＢ、ＵＥ等）から受信し、データの送信および／または他の情報をダウンストリーム局（例えば、ＵＥまたはｅＮｏｄｅＢ）に送信する局である。リレー局はまた、他のＵＥのための送信をリレーするＵＥでありうる。図１で図示される例では、リレー局１１０ｒは、ｅＮｏｄｅＢ１１０ａとＵＥ１２０ｒとの間の通信を容易にするために、ｅＮｏｄｅＢ１１０ａとＵＥ１２０ｒと通信しうる。リレー局はまた、リレーｅＮｏｄｅＢ、リレー等とも呼ばれうる。
【００２０】
無線ネットワーク１００は、例えばマクロｅＮｏｄｅＢ、ピコｅＮｏｄｅＢ、フェムトｅＮｏｄｅＢ、リレー等のような異なるタイプのｅＮｏｄｅＢを含む異種ネットワークでありうる。これらの異なるタイプのｅＮｏｄｅＢは、異なる送信電力レベル、異なるカバレッジエリア、および無線ネットワーク１００における干渉に対する異なる影響を有しうる。例えば、マクロｅＮｏｄｅＢは、高い送信電力レベル（例えば２０ワット）を有するが、ピコｅＮｏｄｅＢ、フェムトｅＮｏｄｅＢおよびリレーは、低い送信電力レベル（例えば１ワット）を有することがある。
【００２１】
無線ネットワーク１００は、シンクロナスまたはアシンクロナスオペレーションをサポートしうる。シンクロナスオペレーションの場合、ｅＮｏｄｅＢは同様なフレームタイミングを有し、異なるｅＮｏｄｅＢからの送信は、時間においてほぼアラインされることがある。アシンクロナスオペレーションの場合、ｅＮｏｄｅＢは異なるフレームタイミングを有し、異なるｅＮｏｄｅＢからの送信は、時間においてほぼアラインされないことがある。ここで説明される技法は、シンクロナスオペレーションまたはアシンクロナスオペレーションのいずれかに使用されうる。
【００２２】
一態様では、無線ネットワーク１００は、オペレーションの、周波数分割デュプレクス（ＦＤＤ）モードまたは時分割デュプレクス（ＴＤＤ）モードをサポートしうる。ここで説明される技法は、オペレーションのＦＤＤモードまたはＴＤＤモードのいずれかに使用されうる。
【００２３】
ネットワークコントローラ１３０は、ｅＮｏｄｅＢ１１０のセットに結合し、これらのｅＮｏｄｅＢ１１０のための調整と制御を提供しうる。ネットワークコントローラ１３０は、バックホールを介してｅＮｏｄｅＢ１１０と通信しうる。ｅＮｏｄｅＢ１１０はまた、例えば無線バックホールまたは有線バックホールを介して直接的にまたは間接的に互いに通信しうる。
【００２４】
ＵＥ１２０（例ＵＥ１２０ｘ、ＵＥ１２０ｙ等）は、無線ネットワーク１００にわたって分散しており、各ＵＥは固定式または移動式でありうる。ＵＥはまた、端末、モバイル局、加入者ユニット、局、または同様なものとも呼ばれうる。ＵＥは、セルラ電話、携帯情報端末（ＰＤＡ）、無線モデム、無線通信デバイス、ハンドヘルドデバイス、ラップトップコンピュータ、コードレス電話、無線ローカルループ（ＷＬＬ）局、タブレット、または同様なものでありうる。ＵＥは、マクロｅＮｏｄｅＢ、ピコｅＮｏｄｅＢ、フェムｅＮｏｄｅＢ、リレー、および同様なものと通信可能であることができる。図１では、実線の両矢印は、ＵＥとサービングｅＮｏｄｅＢ（ダウンリンクおよび／またはアップリンクでＵＥにサービス提供するように設計されたｅＮｏｄｅＢ）との間の所望の送信を示す。点線の両矢印は、ＵＥとｅＮｏｄｅＢとの間の干渉する送信を示す。
【００２５】
ＬＴＥは、ダウンリンクで直交周波数分割多重化（ＯＦＤＭ）と、アップリンクでシングルキャリア周波数分割多重化を使用する。ＯＦＤＭとＳＣ−ＦＤＭは、システム帯域幅を複数の（Ｋ個の）直交サブキャリアに分割し、そしてそれらはまた、トーン、ビンまたは同様なものと一般的には呼ばれる。各サブキャリアは、データと変調されうる。一般に、変調シンボルは、ＯＦＤＭを用いて周波数領域で、そして、ＳＣ−ＦＤＭを用いて時間領域で送信される。隣接するサブキャリア間のスペーシングは、固定されうる、また、サブキャリア（Ｋ）の合計数は、システム帯域幅に依存しうる。例えば、サブキャリアのスペーシングは、１５ｋＨｚであり、最小リソース割り付け（「リソースブロック」と呼ばれる）は、１２サブキャリア（または１８０ｋＨｚ）でありうる。結果、公称ＦＦＴ（高速フーリエ変換）のサイズは、それぞれ、対応するシステム帯域幅１．２５、２．５、５、１０、または２０メガヘルツ（ＭＨｚ）に対し、１２８、２５６、５１２、１０２４、または２０４８と等しい。システム帯域幅はまた、複数のサブ帯域に分割されうる。例えば、サブ帯域は、１．０８ＭＨｚ（すなわち６リソースブロック）をカバーしうる、そして、それぞれ、対応するシステム帯域幅１．２５、２．５、５、１０、または２０ＭＨｚに対し、１、２、４、８、または１６サブ帯域がありうる。
【００２６】
図２では、アドバンスドテレコミュニケーションネットワークにおいてアップリンクチャネル電力制御のための変調および符号化スキーム調整が送信されうる、ダウンリンクＦＤＤフレーム構造を図示する。ダウンリンクのための送信タイムラインは、複数のラジオフレームのユニットに分割されうる。各ラジオフレームは所定の持続時間（例えば１０ミリ秒（ｍｓ））を有しうる、および、０〜９のインデクスを伴って１０サブフレームに分割されうる。各サブフレームは２つのスロットを含めうる。したがって、各ラジオフレームは、０〜１９のインデクスを伴う２０スロットを含めうる。各スロットは、Ｌ個のシンボル期間、例えば通常のサイクリックプリフィックスの場合７シンボル期間（図２で図示される）または拡張されたサイクリックプリフィックスの場合６シンボル期間、を含めうる。各サブフレームにおける２Ｌシンボル期間は０〜２Ｌ−１のインデクスを割り当てられうる。利用可能な時間周波数リソースは、複数のリソースブロックに分割されうる。各リソースブロックは、１スロットにおいてＮ個のサブキャリア（例えば、１２サブキャリア）をカバーしうる。
【００２７】
ＬＴＥでは、ｅＮｏｄｅＢは、ｅＮｏｄｅＢにおける各セルについて、プライマリ同期信号（ＰＳＳ）とセカンダリ同期信号（ＳＳＳ）を送信しうる。オペレーションＦＤＤモードでは、プライマリ同期信号およびセカンダリ同期信号は、図２で図示されるように、通常のサイクリックプリフィクスを伴って各ラジオフレームのサブフレーム０および５の各々において、それぞれシンボル期間６および５において送信されうる。同期信号は、セル検出および獲得のためにＵＥによって使用されうる。オペレーションのＦＤＤモードの場合、ｅＮｏｄｅＢは、サブフレーム０のスロット１のシンボル期間０〜３において、物理ブロードキャストチャネル（ＰＢＣＨ）を送信しうる。ＰＢＣＨはあるシステム情報を搬送しうる。
【００２８】
ｅＮｏｄｅＢは、図２にみられるように、各サブフレームの第１のシンボル期間において物理制御フォーマットインジケータチャネル（ＰＣＦＩＣＨ）を送信しうる。ＰＣＦＩＣＨは、制御チャネルに使用されるシンボル期間の数（Ｍ）を伝達しうる、なお、Ｍは、１、２、または３に等しく、サブフレームごとに変更しうる。Ｍはまた、小さいシステム帯域幅について４に等しいことがある（１０リソースブロック未満）。図２で図示される例では、Ｍ＝３である。ｅＮｏｄｅＢは、各サブフレームの最初のＭ個のシンボル期間において、物理ＨＡＲＱインジケータチャネル（ＰＨＩＣＨ）と物理ダウンリンク制御チャネル（ＰＤＣＣＨ）を送信しうる。ＰＤＣＣＨとＰＨＩＣＨはまた、図２に図示される例の最初の３つのシンボル期間に含まれる。ＰＨＩＣＨはハイブリッド自動再送信（ＨＡＲＱ）をサポートするために情報を搬送しうる。ＰＤＣＣＨは、ＵＥのためのアップリンクおよびダウンリンクリソース割り付けに関する情報とアップリンクチャネルのための電力制御情報とを搬送しうる。ｅＮｏｄｅＢは、各サブフレームの残りのシンボル期間において、物理ダウンリンク共有チャネル（ＰＤＳＣＨ）を送信しうる。ＰＤＳＣＨは、ダウンリンクでデータ送信のためにスケジュールされたＵＥのためのデータを搬送しうる。
【００２９】
ｅＮｏｄｅＢは、ｅＮｏｄｅＢによって使用されるシステム帯域幅の中心１．０８ＭＨｚにおいて、ＰＳＣ、ＳＳＣおよびＰＢＣＨを送信しうる。ｅＮｏｄｅＢは、これらのチャネルが送信される各シンボル期間において全体のシステム帯域幅にわたって、ＰＣＦＩＣＨおよびＰＨＩＣＨを送信しうる。ｅＮｏｄｅＢは、システム帯域幅のある部分においてＵＥのグループにＰＤＣＣＨを送信しうる。ｅＮｏｄｅＢは、システム帯域幅の特定部分においてＵＥのグループにＰＤＳＣＨを送信しうる。ｅＮｏｄｅＢは、すべてのＵＥにブロードキャスト方式でＰＳＣ、ＳＳＣ、ＰＢＣＨ、ＰＣＦＩＣＨおよびＰＨＩＣＨを送信し、特定のＵＥにユニキャスト方式でＰＤＣＣＨを送信し、また、特定のＵＥにユニキャスト方式でＰＤＳＣＨをも送信しうる。
【００３０】
多数のリソースエレメントは、各シンボル期間において利用可能でありうる。各リソースエレメントは、１つのシンボル期間において１つのサブキャリアをカバーしうる、また、１つの変調シンボルを送信するために使用されうる、そしてそれは、実数値または複素数値でありうる。制御チャネルに使用されるシンボルのために、各シンボル期間における基準信号に使用されないリソースエレメントは、リソースエレメントグループ（ＲＥＧ）に配置されうる。各ＲＥＧは、１シンボル期間において４つのリソースエレメントを含めうる。ＰＣＦＩＣＨは、シンボル期間０における、周波数にわたってほぼ均等に間隙を介しうる、４つのＲＥＧを占めることがある。ＰＨＩＣＨは、１つまたは複数の構成可能なシンボル期間における、周波数にわたって拡散されうる、３つのＲＥＧを占めることがある。例えば、ＰＨＩＣＨのための３つのＲＥＧはすべて、シンボル期間０に属するまたはシンボル期間０、１および２において拡散されうる。ＰＤＣＣＨは、最初のＭ個のシンボル期間における、利用可能なＲＥＧから選択されうる、９、１８、３６または７２のＲＥＧを占めることがある。ＲＥＧのある組み合わせのみがＰＤＣＣＨについて許可されうる。
【００３１】
ＵＥは、ＰＨＩＣＨおよびＰＣＦＩＣＨに使用される特定のＲＥＧを知ることができる。ＵＥは、ＰＤＣＣＨについてのＲＥＧの異なる組み合わせをサーチしうる。サーチするための組み合わせの数は、ＰＤＣＣＨにおけるすべてのＵＥについての許可された組み合わせの数よりも一般的に少ない。ｅＮｏｄｅＢは、ＵＥがサーチするであろう組み合わせのいずれかにおいてＵＥにＰＤＣＣＨを送信しうる。
【００３２】
ＵＥは、複数のｅＮｏｄｅＢのカバレッジ内にありうる。これらのｅＮｏｄｅＢのうちの１つは、ＵＥにサービス提供するために選択されうる。サービングｅＮｏｄｅＢは、受信電力、パスロス、信号対雑音比（ＳＮＲ）等のような様々な基準に基づいて選択されうる。
【００３３】
図３は、アップリンクチャネル電力制御のための変調および符号化スキーム調整が適用される、アップリンクロングタームエボリューション（ＬＴＥ）通信において使用されうる、例示的なＦＤＤおよびＴＤＤ（非特別サブフレームのみ）サブフレーム構造を概念的に図示しているブロック図である。
【００３４】
アップリンクのための利用可能なリソースブロック（ＲＢ）は、データ部と制御部に分割されうる。制御部は、システム帯域幅の２つのエッジにて形成され、設定可能なサイズを有しうる。制御部におけるリソースブロックは、制御情報の送信のためにＵＥに割り当てられうる。データ部は、制御部に含まれていないすべてのリソースブロックを含めうる。図３の設計は、連続サブキャリアを含むデータ部を結果としてもたらし、そしてそれは、単一のＵＥがデータ部において連続サブキャリアのすべてを割り当てられることを可能にしうる。
【００３５】
ＵＥは、ｅＮｏｄｅＢに制御情報を送信するために、制御部においてリソースブロックを割り当てられうる。ＵＥはまた、ｅＮｏｄｅＢにデータを送信するために、データ部においてリソースブロックを割り当てられうる。ＵＥは、制御部において割り当てられたリソースブロック上で物理アップリンク制御チャネル（ＰＵＣＣＨ）において制御情報を送信しうる。ＵＥは、データ部における割り当てられたリソースブロック上の物理アップリンク共有チャネル（ＰＵＳＣＨ）において、データのみ、または、データおよび制御情報の両方を送信しうる。アップリンク送信はサブフレームの両スロットにおよび、図３で図示されるように周波数上でホップしうる。一態様によれば、緩和されたシングルキャリアオペレーションでは、並列チャネルは、ＵＬリソース上で送信されうる。例えば、制御およびデータチャネル、並列制御チャネル、および並列データチャネルは、ＵＥによって送信されうる。
【００３６】
ＰＳＣ、ＳＳＣ、ＣＲＳ、ＰＢＣＨ、ＰＵＣＣＨ、ＰＵＳＣＨおよびＬＴＥ／−Ａにおいて使用される他のこのような信号およびチャネルは、公的に入手可能であり、「Evolved Universal Terrestrial Radio Access (E-UTRA); Physical Channels and Modulation」と題された３ＧＰＰ  ＴＳ  ３６．２１１で説明される。
【００３７】
図４は、基地局／ｅＮｏｄｅＢ１１０およびＵＥ１２０の設計のブロック図を図示し、そしてそれは、アップリンクチャネル電力制御のための変調および符号化スキーム調整が実装される、アドバンスドテレコミュニケーションネットワークにおいて使用されうる。基地局／ｅＮｏｄｅＢ１１０およびＵＥ１２０は、図１の基地局／ｅＮｏｄｅＢのうちの１つおよび複数ＵＥのうちの１つでありうる。基地局１１０は、図１のマクロｅＮｏｄｅＢ１１０ｃであり、ＵＥ１２０は、ＵＥ１２０ｙでありうる。基地局１１０はまた、他の何らかのタイプの基地局でありうる。基地局１１０はアンテナ４３４ａ〜４３４ｔを備え、ＵＥ１２０はアンテナ４５２ａ〜４５２ｒを備えうる。
【００３８】
基地局１１０では、送信プロセッサ４２０は、データソース４１２からデータを受信し、コントローラ／プロセッサ４４０から制御情報を受信しうる。制御情報は、ＰＢＣＨ、ＰＣＦＩＣＨ、ＰＨＩＣＨ、ＰＤＣＣＨ等のためのものでありうる。データは、ＰＤＳＣＨ等のためのものでありうる。プロセッサ４２０は、データおよび制御情報を処理して（例えば符号化し、シンボルマッピングして）、データシンボルと制御シンボルをそれぞれ取得しうる。プロセッサ４２０はまた、例えばＰＳＳ、ＳＳＳ、およびセル特有基準信号のための基準シンボルを生成しうる。送信（ＴＸ）多入力多出力（ＭＩＭＯ）プロセッサ４３０は、適用可能であれば、データシンボル、制御シンボル、および／または基準シンボルに対して空間処理（例えばプレコーディング）を実行し、変調器（ＭＯＤ）４３２−ａ〜４３２−ｔに出力シンボルストリームを提供しうる。各変調器４３２はそれぞれの出力シンボルストリーム（例えばＯＦＤＭ等用）を処理して、出力サンプルストリームを取得しうる。各変調器４３２はさらに、出力サンプルストリームを処理して（例えばアナログ変換し、増幅し、フィルタし、アップコンバートして）、ダウンリンク信号を取得しうる。変調器４３２ａ〜４３２ｔからのダウンリンク信号は、それぞれ、アンテナ４３４ａ〜４３４ｔを介して送信されうる。
【００３９】
ＵＥ１２０では、アンテナ４５２ａ〜４５２ｒは、基地局１１０からダウンリンク信号を受信しうる、また、それぞれ復調器（ＤＥＭＯＤ）４５４ａ〜４５４ｒに受信した信号を提供しうる。各復調器４５４は、それぞれ受信された信号を調整し（例えば、フィルタし、増幅し、ダウンコンバートし、デジタル化し）、入力サンプルを取得しうる。各復調器４５４は、入力サンプル（例えば、ＯＦＤＭ等用）をさらに処理して、受信シンボルを取得しうる。ＭＩＭＯ検出器４５６は、すべての復調器４５４ａ〜４５４ｒからの受信シンボルを取得し、適用可能であれば、受信シンボルに対してＭＩＭＯ検出を実行し、検出シンボルを提供する。受信プロセッサ４５８は、検出シンボルを処理し（例えば、復調し、デインタリーブし、復号し）、データシンク４６０にＵＥ１２０のための復号データを提供し、コントローラ／プロセッサ４８０に復号された制御情報を提供しうる。
【００４０】
アップリンクで、ＵＥ１２０にて、送信プロセッサ４６４は、データソース４６２からデータ（例えば、ＰＵＳＣＨ用）を、そして、コントローラ／プロセッサ４８０から制御情報（例えば、ＰＵＣＣＨ用）を受信し処理しうる。プロセッサ４６４はまた、基準信号のための基準シンボルを生成しうる。送信プロセッサ４６４からのシンボルは、適用可能である場合にはＴＸ  ＭＩＭＯプロセッサ４６６によってプレコードされ、さらに、変調器４５４ａ〜４５４ｒによって処理され（例えば、ＳＣ−ＦＤＭ用等）、そして基地局１１０に送信されうる。基地局１１０では、ＵＥ１２０からのアップリンク信号は、アンテナ４３４によって受信され、復調器４３２によって処理され、適用可能である場合にはＭＩＭＯ検出器４３６によって検出され、さらに、受信プロセッサ４３８によって処理され、ＵＥ１２０によって送信される、復号データおよび制御情報を取得する。プロセッサ４３８は、データシンク４３９に復号データを提供し、コントローラ／プロセッサ４４０に、復号された制御情報を提供しうる。基地局１１０は、例えばＸ２インタフェース４４１にわたって他の基地局にメッセージを送信することができる。
【００４１】
コントローラ／プロセッサ４４０および４８０は、それぞれ、基地局１１０およびＵＥ１２０にてオペレーションを命令しうる。プロセッサ４４０および／または基地局１１０における他のプロセッサおよびモジュールは、ここで説明される技法の様々なプロセスの実行を実行または命令しうる。プロセッサ４８０および／またはＵＥ１２０における他のプロセッサおよびモジュールは、図６で図示される機能ブロック、および／または、ここで説明される技法の他のプロセス、の実行を実行または命令しうる。メモリ４４２および４８２は、それぞれ、基地局１１０およびＵＥ１２０のためのデータおよびプログラムコードを格納しうる。スケジューラ４４４は、ダウンリンクおよび／またはアップリンクでデータ送信のためにＵＥをスケジュールしうる。
【００４２】
現在、単一入力多出力送信はアップリンク送信においてサポートされる。サブフレームｉにおけるＰＵＳＣＨのためのＵＥ送信電力の設定は下記の通りである：
【数１】
0006022639.tif 000002
【００４３】
ＰＣＭＡＸは、構成されたＵＥ最大送信電力である。ＭＰＵＳＣＨ（ｉ）は、ＰＵＳＣＨ割り当ての、リソースブロックの数における帯域幅である。ＰＯ＿ＰＵＳＣＨ（ｊ）は、異なるタイプのＰＵＳＣＨ送信についてのレイヤ３構成オフセットである。さらに、α（ｊ）＊ＰＬは、フラクショナルパスロス補償である。ΔＴＦ（ｉ）は、デルタＭＣＳ（変調および符号化スキーム）調整を表す。また、ｆ（ｉ）は、電力制御コマンドによって駆動される電力調整を表す。
【００４４】
デルタＭＣＳ調整、ΔＴＦ（ｉ）は、送信ＭＣＳの関数であり、下記のように表されうる。
【数２】
0006022639.tif 000003
【００４５】
一態様では、Ｋｓ＝０はデフォルト値である。または、Ｋｓは、レイヤ３およびＵＥ特有構成について、１．２５と等しい。
【００４６】
通常のＰＵＳＣＨ送信について、リソースあたりの変調（ＭＰＲ）は、
【数３】
0006022639.tif 000004
【００４７】
と表わされうる。Ｃは、同じトランスポートブロックの初期のＰＵＳＣＨ割り当てのコードブロックの数を表す。Ｋｒは、同じトランスポートブロックの初期のＰＵＳＣＨ割り当てのコードブロックｒのサイズである。ＮＲＥは、リソースエレメントの数であり、
【数４】
0006022639.tif 000005
【００４８】
と表されうる。
【数５】
0006022639.tif 000006
【００４９】
は、初期のＰＵＳＣＨ割り当てにおけるサブキャリアの数であり、
【数６】
0006022639.tif 000007
【００５０】
は、同じトランスポートブロックの初期のＰＵＳＣＨ割り当てにおけるシンボルの数である。さらに、βｏｆｆｓｅｔＰＵＳＣＨは、１と等しい。
【００５１】
ＣＳＩ（チャネル状態情報）フィードバックのみ送信の場合、ＭＰＲは、ＭＰＲ＝ＯＣＱＩ／ＮＲＥ、と表されうる。ＯＣＱＩはＣＳＩビット（ＣＲＣ（サイクリック冗長度チェック）を含む）の数であり、βｏｆｆｓｅｔＰＵＳＣＨ＝βｏｆｆｓｅｔＣＱＩであり、βｏｆｆｓｅｔＣＱＩはＣＱＩについてのレイヤ３構成である。
【００５２】
一態様では、ｅＮｏｄｅＢ１１０とＵＥ１２０は、アドバンスドテレコミュニケーションネットワークにおけるアップリンクチャネルの電力制御のための変調および符号化スキーム（ＭＣＳ）調整を実装および使用する。具体的には、ＵＥ１２０は、ここで説明されるように変調および符号化スキーム（ＭＣＳ）に基づいて、ＭＩＭＯ（多入力多出力）通信でアップリンクチャネルを制御することができる。ＵＥ１２０は、電力制御コンポーネント（図示されず）およびラジオコンポーネント（図示されず）を含めうる。一態様では、ラジオコンポーネントは、ｅＮｏｄｅＢ１１０にデータおよびシグナリングを送信することができる、α＝Ｔ（例えばＵＥ）を伴う送信コンポーネントを含めうる。ラジオコンポーネントはまた、ｅＮｏｄｅＢ１１０からデータおよびシグナリングを受信することができる受信コンポーネントを含めうる。一例では、ラジオコンポーネントは、例えば、トランスポートフォーマット（ＴＦ）（例、ＭＣＳ  ΔＴＦの調整）に基づいている電力調整モードのインジケーションのような電力調整構成を受信する。一態様では、電力調整構成は、ＭＣＳ調整の特定の実装のＭＣＳ構成またはインジケータを含むことができるレジスタのようなメモリに格納されうる。ＭＣＳ構成は、電力調整が実装される、アップリンク物理チャネル処理におけるステージを示すことができる。
【００５３】
図５は、どのようにしてアップリンク送信がＭＩＭＯシステムについて実行されるかを実証する図５００を図示する。２つのトランスポートブロック、０と１がある。トランスポートブロック０の場合、コードブロックセグメント化とＣＲＣ（サイクリック冗長度チェック）は、ブロック５１０で実行される。同様に、トランスポートブロック１の場合、コードブロックセグメント化とＣＲＣはブロック５１２で適用される。符号化および変調は、ブロック５１４と５１６で実行され、ブロック５１４の場合、コードワードは０であり、ブロック５１６の場合、コードワードは１である。ブロック５１８では、コードワード・ツー・レイヤマッピングが実行される。一態様では、他のマッピングが可能であるが、２つのコードワードが３つのレイヤ（例えば、レイヤ０、レイヤ１、およびレイヤ２）にマッピングされうる。プレコーディングは、その後、ブロック５２０で適用される。次に、離散フーリエ変換処理がブロック５２２で適用され、そのあとで、リソースマッピングがブロック５２４で適用され、逆高速フーリエ変換処理がブロック５２６で適用される。図５では、３つのレイヤ（例えば、ランク３送信）および２つのコードワード（ＣＷ）が図示されており、コードワード０は１つのレイヤを有し、他のコードワードは２つのレイヤを有する、ということが理解されるべきである。しかしながら、本開示の様々な実施形態および特徴はそれほど限定されていない。具体的には、１つのコードワードは１つまたは２つのレイヤにマッピングされうる。同じトランスポートブロックが異なるＨＡＲＱ送信にわたって１つまたは２つのレイヤにマッピングされうる。
【００５４】
一態様では、図５で図示されるように、電力調整は、アップリンク物理チャネル処理のさまざまなステージで実装されうる。一態様では、電力調整は、レイヤマッピングの前に生じる、基準ポイントＡにて提供される。別の態様では、電力調整は、プレコーディングの前だが、レイヤマッピングの後で生じる基準ポイントＢにて実装される。さらに別の態様では、電力調整は、プレコーディングの後で生じる基準ポイントＣにて実行される。
【００５５】
一態様では、デルタＭＣＳ調整は、異なるコードワードが異なる変調および符号化スキームを有しうるので、コードワードべースで実行される。さらに、１コードワード内の異なるレイヤは、同じ変調および符号化スキームを有する。
【００５６】
オプションとして、デルタＭＣＳ調整は、トランスポートブロックベースで実行されうる。デルタＭＣＳ調整は、所与のトランスポートブロックのための初期のＰＵＳＣＨ割り当てに基づいている。別の態様では、デルタＭＣＳ調整は、最新のＰＵＳＣＨ割り当てに基づいていることがある。
【００５７】
リソースエレメントがＰＵＳＣＨ送信について計算されるとき、アップリンク制御情報（ＵＣＩ）のリソースエレメントもまたカウントされる。あるいは、別の態様では、アップリンク制御情報のためのリソースエレメントは、ＰＵＳＣＨ上でピギーバックしている場合にディスカウントされうる。
【００５８】
一態様では、電力調整は、基準ポイントＣにおいて実行され、合成ＭＩＭＯ送信のための単一の電力スケーリングを提供する。各アンテナポートについてのリソースあたりの変調（ＭＰＲ）は、
【数７】
0006022639.tif 000008
【００５９】
によって計算される、なお、加算は、各コードワードについて、各コードブロック「ｒ」についての各コードワード内で、行われる。ＫＣＷ，ｒＣＷは、同じトランスポートブロックの初期ＰＵＳＣＨ割り当てにおけるコードワードＣＷのコードブロックｒＣＷのサイズを表す。さらに、ＮＲＥ，ＣＷは、同じトランスポートブロックの初期ＰＵＳＣＨ割り当てにおけるコードワードＣＷのリソースエレメントの数を表す。
【数８】
0006022639.tif 000009
【００６０】
デルタＭＣＳ調整は、次いで、
【数９】
0006022639.tif 000010
【００６１】
と計算されうる。基準ポイントＣにて電力調整を実行することは、単一電力スケーリングを可能にし、コードワードを区別しない。
【００６２】
別の態様では、電力調整は、基準ポイントＢにて実行され、レイヤベースで電力スケーリングを可能にし、各レイヤは、同様に扱われる。具体的には、コードワードＣＷの各レイヤｍの最大電力縮小は、
【数１０】
0006022639.tif 000011
【００６３】
によって計算されうる。すべてのコードブロック（ｒ）に対して、各コードワード（ＣＷ）および各レイヤ（ｍ）内で加算が行われる。ＫｒＣＷ，ｍは、同じトランスポートブロックの初期ＰＵＳＣＨ割り当てにおけるレイヤ（ｍ）のコードワードＣＷのコードブロック（ｒＣＷ）のサイズを表す。レイヤマッピングに起因して、所与のコードワードのためのレイヤｍのコードブロックは、レイヤマッピングの前に、オリジナルコードブロックのフラクションのみを表す。ＮＲＥ，ＣＷ，ｍは、同じトランスポートブロックの初期ＰＵＳＣＨにおけるレイヤ（ｍ）およびコードワードＣＷのリソースエレメントの数を表す。一態様では、同じコードワードのレイヤについて計算されたＭＰＲＣＷ，ｍは同じである。調整は各レイヤについて生じ、デルタＭＣＳ調整（各レイヤにつき）は、
【数１１】
0006022639.tif 000012
【００６４】
と計算されうる。
【００６５】
別の態様では、電力調整は、コードワードベースで電力スケーリングを考慮する。具体的には、電力調整は、レイヤマッピングの前に、基準ポイントＡにて実行され、各コードワードについてのＭＰＲは、
【数１２】
0006022639.tif 000013
【００６６】
によって計算されうる。すべてのコードブロックｒについて、および各レイヤｍについて、各コードワードＣＷ内で加算が行われる。ＫｒＣＷ，ｍは、同じトランスポートブロックの初期ＰＵＳＣＨ割り当てにおけるレイヤｍのコードワードＣＷのコードブロックｒＣＷのサイズである。レイヤマッピングに起因して、所与のコードワードのためのレイヤｍのためのコードブロックは、レイヤマッピングの前に、オリジナルコードブロックのフラクションのみを表す。ＮＲＥ，ＣＷは、同じトランスポートブロックの初期ＰＵＳＣＨにおけるコードワードＣＷのリソースエレメントの数である。ＭＣＷはコードワードＣＷのレイヤの数である。調整は各コードワードについて生じ、デルタＭＣＳ調整は、
【数１３】
0006022639.tif 000014
【００６７】
と計算されうる。
【００６８】
別の態様では、電力調整は、コードワードベースで電力スケーリングを考慮し、電力調整は、基準ポイントＡまたは基準ポイントＢにて実行されうる。最大の電力縮小は、
【数１４】
0006022639.tif 000015
【００６９】
によって計算されうる、なお、加算は、各コードワードＣＷ内で、すべてのレイヤ上のすべてのコードブロックｒに対して行われる。ＫｒＣＷは、同じトランスポートブロックの初期ＰＵＳＣＨ割り当てにおけるコードワードＣＷのコードブロックｒＣＷのサイズである。ＮＲＥ，ＣＷは、同じトランスポートブロックの初期ＰＵＳＣＨにおけるコードワードＣＷのリソースエレメントの数である。ＭＣＷはコードワードＣＷのレイヤの数である。各コードワードについてのデルタＭＣＳ調整は、
【数１５】
0006022639.tif 000016
【００７０】
と計算されうる。
【００７１】
別の態様では、さらなる調整は、レイヤ間および／またはコードワード間の干渉に適用されうる。ＵＥがこのような調整により構成されうる多くの方法がある。一例では、デフォルトとして、ＵＥは、そのような調整を有するように構成されない。ＵＥが調整を有するように構成される場合には、オフセットは、パラメータＫと同様に設定されることができる。各コードワードに対して２つのレイヤがあるときおよび／または２つのコードワードがあるとき、適用可能でありうる。さらに、オフセットはまた、レイヤ間の干渉のみ、または、コードワード間の干渉のみ、またはそれらの組み合わせに取り組むために設定されることができる。
【００７２】
一態様では、電力を調整することは、アップリンクＭＩＭＯ送信の情報ビットの数、アップリンクＭＩＭＯ送信の符号化レート、アップリンクＭＩＭＯ送信によって使用されるリソースの数（a number of resources）、の少なくとも１つに依存する。リソースの数（the number of resources）は、リソースエレメントのユニットを備え、アップリンクＭＩＭＯ送信のコードワードの初期割り当てに関して決定される。リソースの数（the number of resources）は、アップリンク制御情報によって使用されるリソースを含み、同じアップリンクＭＩＭＯ送信上でアップリンクデータと多重化される。
【００７３】
これらの実施形態の各々では、ΔＴＦ，またはデルタＭＣＳ調整（ＭＣＳ調整とも本開示では呼ばれる）は、特定の定義にしたがって計算されうる。ＵＥ１２０では、電力制御コンポーネントは、電力調整モードまたは受信されたＭＣＳ構成にしたがって、デルタＭＣＳ調整（ΔＴＦ）を計算することができる。
【００７４】
ユーザ機器１２０はアクセス端末でありうる（端末、アクセス端末、モバイル局、モバイルデバイスとも呼ばれる）。一態様では、ラジオコンポーネントは、少なくとも部分的にアップリンクにおけるＭＩＭＯ通信を可能にする、複数のアンテナ（例えば、アンテナ１、アンテナ２、・・・アンテナＱ（Ｑは、１より大きいまたは１に等しい自然数）を含めうる。
【００７５】
基地局１１０（ノード、発展型ノードＢ（ｅＮＢ）、サービングｅＮＢ、ターゲットｅＮＢ、遠隔ラジオヘッド（ＲＲＨ）、フェムトセル基地局、ピコセル基地局とも呼ばれる）は、ここで説明されるように、電力調整モードを構成することができる。一態様では、構成コンポーネントは、ＭＣＳ構成を確立し、本願で説明されるように、ΔＴＦを計算する様々な方法を確立するＵＥ１２０に、電力調整モードのインジケーションを送信することができる。
【００７６】
図６は、３ＧＰＰ  ＬＴＥ  アドバンスド（ＬＴＥ−Ａ）におけるアップリンクチャネル電力制御のための変調および符号化スキームを調整するための方法６００を図示する。ブロック６１０では、ＵＥは、アップリンクＭＩＭＯ送信のための電力調整モードのインジケーションを受信する。ブロック６１２では、ＵＥは、受信された電力調整モードにしたがって、アップリンクＭＩＭＯ送信の電力を調整する。
【００７７】
一構成では、ＵＥ１２０は、電力調整モードのインジケーションを受信するための手段を含む無線通信のために構成される。一態様では、受信する手段は、受信する手段の機能を実行するように構成された、例えばアンテナ４５２ａ−ｒ、復調器４５４ａ−ｒ、ＭＩＭＯ検出器４５６、受信プロセッサ４５８、コントローラ／プロセッサ４８０およびメモリ４８２でありうる。ＵＥ１２０はまた、電力を調整するための手段を含むように構成される。一態様では、調整する手段は、調整する手段の機能を実行するように構成されたコントローラ／プロセッサ４８０とメモリ４８２でありうる。別の態様では、前述の手段は、前述の手段の機能を実行するように構成されたいずれの装置またはモジュールでありうる。
【００７８】
当業者は、ここにおける開示に関連して説明された様々な説明の論理ブロック、モジュール、回路およびアルゴリズムのステップが電子ハードウェア、コンピュータソフトウェア、または両方の組み合わせとして実装されうるということをさらに理解するであろう。ハードウェアとソフトウェアのこの互換性を明確に説明するために、様々な説明のためのコンポーネント、ブロック、モジュール、回路およびステップがそれらの機能という点から一般的に上述されてきた。このような機能がハードウェアまたはソフトウェアとして実装されるかは、全体システムに課せられた設計の制約と特定のアプリケーションに依存する。当業者は、各特定のアプリケーションについての様々な方法で、説明された機能を実装しうるが、そのような実装の決定は、本発明の範囲からの逸脱を生じさせるものとして解釈されるべきでない。
【００７９】
ここでの開示に関連して説明された様々な説明のための論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、あるいは他のプログラマブル論理回路、ディスクリートゲートあるいはトランジスタロジック、ディスクリートハードウェアコンポーネント、あるいは、ここに説明された機能を実行するように設計されたそれらのいずれの組み合わせ、で実装または実行されうる。汎用プロセッサは、マイクロプロセッサでありうるが、代わりに、プロセッサは、任意の従来のプロセッサ、コントローラ、マイクロコントローラ、またはステートマシンでありうる。プロセッサはまた、コンピューティングデバイスの組み合わせ、例えば、ＤＳＰとマイクロプロセッサとの組み合わせ、複数のマイクロプロセッサ、ＤＳＰコアと併用しての１つまたは複数のマイクロプロセッサ、あるいはいずれの他のそのような構成のもの、として実装されうる。
【００８０】
ここにおける開示に関連して説明される方法またはアルゴリズムのステップは、直接ハードウェアにおいて、プロセッサによって実行されるソフトウェアモジュールにおいて、または、それら２つの組み合わせにおいて具現化されうる。ソフトウェアモジュールは、ＲＡＭメモリ、フラッシュメモリ、ＲＯＭ、メモリ、ＥＰＲＯＭメモリ、ＥＥＰＲＯＭメモリ、レジスタ、ハードディスク、リムーバブルディスク、ＣＤ−ＲＯＭ、または当技術分野で知られている記憶媒体のいずれの他の形式において存在しうる。例示的な記憶媒体は、プロセッサが記憶媒体から情報を読み出し、記憶媒体に情報を書き込むように、プロセッサに結合される。あるいは、記憶媒体は、プロセッサに不可欠でありうる。プロセッサと記憶媒体は、ＡＳＩＣにおいて存在しうる。ＡＳＩＣは、ユーザ端末において存在しうる。あるいは、プロセッサと記憶媒体は、ユーザ端末においてディスクリートコンポーネントとして存在しうる。
【００８１】
１つまたは複数の例示的な設計では、説明される機能は、ハードウェア、ソフトウェア、ファームウェア、またはそれらのいずれの組み合わせにおいて実装されうる。ソフトウェアで実装される場合には、機能は、コンピュータ可読媒体上で１つまたは複数の命令またはコードとして格納または送信されうる。コンピュータ可読媒体は、１つの場所から別の場所へとコンピュータプログラムの移送を容易にするいずれの媒体をも含む、コンピュータ記憶媒体と通信媒体の両方を含む。記憶媒体は、汎用または専用コンピュータによってアクセスされることができるいずれの利用可能な媒体でありうる。例として、また限定されないが、そのようなコンピュータ可読媒体は、ＲＡＭ、ＲＯＭ、ＥＥＰＲＯＭ、ＣＤ−ＲＯＭあるいは他の光学ディスクストレージ、磁気ディスクストレージあるいは他の磁気ストレージデバイス、あるいは、命令あるいはデータストラクチャの形で所望のプログラムコード手段を搬送または格納するために使用されることができる、また、汎用または専用コンピュータ、または、汎用または専用プロセッサによってアクセスされることができる、任意の他の媒体も備えることができる。また、いずれの接続もコンピュータ可読媒体と適切に名づけられる。例えば、ソフトウェアがウェブサイト、サーバ、あるいは、同軸ケーブル、光ファイバーケーブル、ツイストペア、デジタル加入者ライン（ＤＳＬ）、あるいは赤外線、無線、およびマイクロ波のような無線技術を使用している他の遠隔ソース、から送信される場合には、同軸ケーブル、光ファイバーケーブル、ツイストペア、ＤＳＬ、あるいは赤外線、無線、およびマイクロ波のような無線技術は、媒体の定義に含まれている。ここで使用される、ディスク（Disk）とディスク（disc）は、コンパクトディスク（ＣＤ）、レーザーディスク（登録商標）、光学ディスク、デジタルバーサタイルディスク（ＤＶＤ）、フロッピー（登録商標）ディスク、およびブルーレイディスクを含み、ディスク（Disk）はしばしばデータを磁気的に再生し、ディスク（disc）は、レーザで光学的に再生する。上記の組み合わせもまた、コンピュータ可読媒体の範囲内に含まれるべきである。
【００８２】
本開示の先の説明は、当業者が本開示を行なうまたは使用することを可能にするために提供される。本開示に対する様々な変更は、当業者にとって容易に明らかであろう、また、ここで定義される一般的な原理は、本開示の範囲または精神から逸脱することなく他の変更に適用されうる。したがって、本開示は、ここで説明される例および設計に限定するように意図されておらず、ここで開示される原理および新規の特徴と一致して幅広い範囲が与えられるべきである。
以下に、本願出願の当初の特許請求の範囲に記載された発明を付記する。
［Ｃ１］  無線通信の方法であって、
アップリンク多入力多出力（ＭＩＭＯ）送信のための電力調整モードのインジケーションを受信することと、
前記受信された電力調整モードにしたがって、前記アップリンクＭＩＭＯ送信の電力を調整することと、
を備える方法。
［Ｃ２］  前記電力を調整することは、アップリンクＭＩＭＯ送信の情報ビットの数、アップリンクＭＩＭＯ送信の符号化レート、アップリンクＭＩＭＯ送信によって使用されるリソースの数の少なくとも１つに依存する、Ｃ１に記載の方法。
［Ｃ３］  前記リソースの数は、リソースエレメントのユニットを備え、前記アップリンクＭＩＭＯ送信のコードワードの初期割り当てに関して決定される、Ｃ２に記載の方法。
［Ｃ４］  前記リソースの数は、アップリンク制御情報によって使用されるリソースを含み、同じアップリンクＭＩＭＯ送信上でアップリンクデータと多重化される、Ｃ３に記載の方法。
［Ｃ５］  前記アップリンクＭＩＭＯ送信は、２つのコードワードを備える、Ｃ１に記載の方法。
［Ｃ６］  少なくとも１つのコードワードは、少なくとも２つのレイヤにマッピングされる、Ｃ５に記載の方法。
［Ｃ７］  前記電力調整モードは、合成ＭＩＭＯ送信のための電力スケーリングを備える、Ｃ１に記載の方法。
［Ｃ８］  前記電力調整モードは、前記アップリンクＭＩＭＯ送信のコードワードの各レイヤのための電力スケーリングを備える、Ｃ１に記載の方法。
［Ｃ９］  前記電力調整モードは、各コードワードのための電力スケーリングを備える、Ｃ１に記載の方法。
［Ｃ１０］  前記電力調整モードはさらに、各レイヤのための各コードワード内の電力スケーリングを備える、Ｃ９に記載の方法。
［Ｃ１１］  前記電力調整モードは、レイヤ間干渉およびコードワード干渉のうちの少なくとも１つを説明するためにオフセットパラメータによって前記電力を調整することを備える、Ｃ１に記載の方法。
［Ｃ１２］  前記電力調整モードはさらに、前記アップリンクＭＩＭＯ送信がいずれのアップリンクデータなしにチャネル状態情報フィードバックのみを含むとき、構成されたオフセットパラメータに部分的に基づく、Ｃ１に記載の方法。
［Ｃ１３］  無線通信のための装置であって、
アップリンク多入力多出力（ＭＩＭＯ）送信のための電力調整モードのインジケーションを受信するための手段と、
前記受信された電力調整モードにしたがって、前記アップリンクＭＩＭＯ送信の電力を調整するための手段と、
を備える装置。
［Ｃ１４］  無線ネットワークにおける無線通信のためのコンピュータプログラムプロダクトであって、
記録されたプログラムコードを有する非一時的コンピュータ可読媒体を備え、前記プログラムコードは、
アップリンク多入力多出力（ＭＩＭＯ）送信のための電力調整モードのインジケーションを受信するためのプログラムコードと、
前記受信された電力調整モードにしたがって、前記アップリンクＭＩＭＯ送信の電力を調整するためのプログラムコードと、
を備えるコンピュータプログラムプロダクト。
［Ｃ１５］  無線通信のための装置であって、
メモリと、
前記メモリに結合された少なくとも１つのプロセッサと、
を備え、前記少なくとも１つのプロセッサは、
アップリンク多入力多出力（ＭＩＭＯ）送信のための電力調整モードのインジケーションを受信するように、
前記受信された電力調整モードにしたがって、前記アップリンクＭＩＭＯ送信の電力を調整するように、
構成される、
装置。
［Ｃ１６］  前記プロセッサは、前記アップリンクＭＩＭＯ送信の情報ビットの数、前記アップリンクＭＩＭＯ送信の符号化レート、前記アップリンクＭＩＭＯ送信によって使用されるリソースの数、のうちの少なくとも１つに依存して前記電力を調整するように構成される、Ｃ１５に記載の装置。
［Ｃ１７］  前記リソースの数は、リソースエレメントのユニットを備え、前記アップリンクＭＩＭＯ送信のコードワードの初期割り当てに関して決定される、Ｃ１６に記載の装置。
［Ｃ１８］  前記リソースの数は、アップリンク制御情報によって使用されるリソースを含み、同じアップリンクＭＩＭＯ送信上でアップリンクデータと多重化される、Ｃ１７に記載の装置。
［Ｃ１９］  前記アップリンクＭＩＭＯ送信は、２つのコードワードを備える、Ｃ１５に記載の装置。
［Ｃ２０］  少なくとも１つのコードワードは、少なくとも２つのレイヤにマッピングされる、Ｃ１９に記載の方法。
［Ｃ２１］  前記電力調整モードは、合成ＭＩＭＯ送信のための電力スケーリングを備える、Ｃ１５に記載の装置。
［Ｃ２２］  前記電力調整モードは、前記アップリンクＭＩＭＯ送信のコードワードの各レイヤのための電力スケーリングを備える、Ｃ１５に記載の装置。
［Ｃ２３］  前記電力調整モードは、各コードワードのための電力スケーリングを備える、Ｃ１５に記載の装置。
［Ｃ２４］  前記電力調整モードはさらに、各レイヤのための各コードワード内の電力スケーリングを備える、Ｃ２３に記載の装置。
［Ｃ２５］  前記電力調整モードは、レイヤ間干渉およびコードワード干渉のうちの少なくとも１つを説明するためにオフセットパラメータによって前記電力を調整することを備える、Ｃ１５に記載の装置。
［Ｃ２６］  前記電力調整モードはさらに、前記アップリンクＭＩＭＯ送信がいずれのアップリンクデータなしにチャネル状態情報フィードバックのみを含むとき、構成されたオフセットパラメータに部分的に基づく、Ｃ２５に記載の装置。
【図１】
0006022639.tif 000017
【図２】
0006022639.tif 000018
【図３】
0006022639.tif 000019
【図４】
0006022639.tif 000020
【図５】
0006022639.tif 000021
【図６】
0006022639.tif 000022